【手続補正書】
【提出日】平成20年4月15日(2008.4.15)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】  入力された画像信号をランダムアクセス可能な記録媒体に記録する記録手段と、
前記記録媒体に記録されている画像信号を再生する再生手段と、
前記記録媒体からの画像信号の再生中における記録開始の指示に応じて前記再生手段により画像信号を再生しながら前記記録媒体に対して前記入力された画像信号を記録するよう前記記録手段と前記再生手段とを制御する制御手段と
を備えることを特徴とする記録装置。
【請求項２】  ユーザが前記記録開始を指示する指示手段を備えることを特徴とする請求項１記載の記録装置。
【手続補正３】
【補正対象書類名】明細書
【補正対象項目名】０００１
【補正方法】変更
【補正の内容】
【０００１】
【発明の属する技術分野】
本発明は、ランダムアクセスが可能な記録媒体に画像信号を記録し、再生する記録装置に関する。
【手続補正４】
【補正対象書類名】明細書
【補正対象項目名】０００６
【補正方法】変更
【補正の内容】
【０００６】
本発明の目的は、記録媒体に記録されている画像信号の再生中に任意のタイミングで画像信号の記録を開始することができる装置を提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
【課題を解決するための手段】
本発明は、上記目的を達成するため、入力された画像信号をランダムアクセス可能な記録媒体に記録する記録手段と、前記記録媒体に記録されている画像信号を再生する再生手段と、前記記録媒体からの画像信号の再生中における記録開始の指示に応じて前記再生手段により画像信号を再生しながら前記記録媒体に対して前記入力された画像信号を記録するよう前記記録手段と前記再生手段とを制御する制御手段とを備えることを特徴とする記録装置を提供する。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４７
【補正方法】変更
【補正の内容】
【００４７】
液晶パネル２０８は、カメラ本体２０１に開閉可能に取り付けられており、カメラ撮影時にはＥＶＦ２０４と同様に被写体像を確認可能なように表示し、再生時には再生画像の表示することを主にしている。また、液晶パネル２０８は、ＥＶＦ２０４と同様に、後述の制御によりオフにすることが可能である。また、液晶パネル２０８はカメラ本体２０１から開いている状態で、さらに上下方向に回転可能に構成されている。液晶パネル２０８が閉じられると、この状態はパネル開閉検出スイッチ２１１により電気的に検出される。例えば液晶パネル２０８には、閉じた状態でパネル開閉検出スイッチ２１１を押す突起（図示せず）が設けられ、液晶パネル２０８が閉じられた状態になると、上記突起がパネル開閉検出スイッチ２１１を押し、液晶パネル２０８が開放されると、上記突起によるパネル開閉検出スイッチ２１１の押下が開放される。これにより、液晶パネル２０８の開閉状態が制御系により認識可能になる。
【手続補正４１】
【補正対象書類名】明細書
【補正対象項目名】００５６
【補正方法】変更
【補正の内容】
【００５６】
ＥＶＦ２０４、液晶パネル２０８は、それぞれ電源が独立しており、マイクロコンピュータ１０７の制御によりシステムとは独立にオン、オフすることができる。また、液晶パネル２０８の開閉状態は、マイクロコンピュータ１０７によりパネル開閉検出スイッチ２１１からの検出信号に基づき認識される。
【手続補正４２】
【補正対象書類名】明細書
【補正対象項目名】００５９
【補正方法】変更
【補正の内容】
【００５９】
モードダイアル２０６は、上述したように、再生モード、カメラモード、オフを選択するためのスイッチであり、トリガースイッチ２０５は、カメラモードにおいて押される都度、記録開始、記録終了のイベントを発生させ、また、再生モードにおいて押される都度、記録開始、記録終了のイベントを発生させるためのスイッチである。
【手続補正４３】
【補正対象書類名】明細書
【補正対象項目名】００７９
【補正方法】変更
【補正の内容】
【００７９】
本実施の形態においては、図７に示すように、赤外線を媒体としてビデオカメラを遠隔操作するための赤外リモコン５２０と、赤外リモコン５２０からの信号を受信し、対応する制御コードを発生する赤外リモコン受信部５２１とが設けられ、赤外リモコン受信部５２１により発生された制御コードは、マイクロコンピュータ１０７に入力される。
【手続補正４４】
【補正対象書類名】明細書
【補正対象項目名】００８０
【補正方法】変更
【補正の内容】
【００８０】
赤外リモコン５２０には、モードダイアル２０６以外のビデオカメラ本体に設けられている操作キーに対応した全てのキーが、少なくとも設けられている。よって、上述の実施の第１形態とは異なり、液晶パネル２０８が閉じられた状態での記録中に、赤外リモコン５２０のカメラモード時再生キー１１５ｅまたはインデックスキー１１５ｄに対応するキーの操作により、記録と並行した再生の要求を発生することが可能である。そのために、本実施の形態では、液晶パネル２０８が閉じられた状態での記録中においては、赤外リモコン５２０のカメラモード時再生キー１１５ｅまたはインデックスキー１１５ｄに対応するキーの操作の受付を禁止するように設定する。
【手続補正４５】
【補正対象書類名】明細書
【補正対象項目名】００８１
【補正方法】変更
【補正の内容】
【００８１】
具体的には、カメラモードにおいては、図８に示すように、撮影を行っていない状態すなわち撮影待機中状態８０１と、撮影画像を記録している状態すなわち撮影中状態８０４とが存在する。そして、撮影待機中状態８０１から撮影中状態８０４へは撮影開始をトリガーに、その逆は撮影終了をトリガーに遷移する。撮影待機中状態８０１においては、液晶パネル２０８が開かれている状態８０２、液晶パネル２０８が閉じられている状態８０３があり、また同様に、撮影中状態８０４においても、液晶パネル２０８が開かれている状態８０５、液晶パネル２０８が閉じられている状態８０６がある。
【手続補正４６】
【補正対象書類名】明細書
【補正対象項目名】００８２
【補正方法】変更
【補正の内容】
【００８２】
ここで、撮影待機中状態８０１においては、液晶パネル２０８が開いているときには、撮影画像を液晶パネル２０８に、液晶パネル２０８が閉じているときには、撮影画像をＥＶＦ２０４に表示する。なお、本実施の形態では、この撮影待機中状態８０１において、ディスク１０８内のＭＰＥＧデータの再生を行うことを考慮しておらず、この撮影待機中状態８０１における、カメラモード時再生キー１１５ｅまたはインデックスキー１１５ｄの操作、またはそれぞれに対応する赤外リモコン５２０のキーの操作は無効となるように設定されている。
【手続補正４７】
【補正対象書類名】明細書
【補正対象項目名】００８３
【補正方法】変更
【補正の内容】
【００８３】
撮影中状態８０４においては、液晶パネル２０８が閉じられているときには、記録と並行した再生を禁止するために、赤外リモコン５２０のカメラモード時再生キー１１５ｅまたはインデックスキー１１５ｄに対応するキーの操作の受付を禁止する。この状態において、撮影画像はＥＶＦ２０４に表示される。また、ＥＶＦ２０４に、赤外リモコン５２０のカメラモード時再生キー１１５ｅまたはインデックスキー１１５ｄに対応するキーの操作の受付禁止の旨を示すメッセージを表示する。
【手続補正４８】
【補正対象書類名】明細書
【補正対象項目名】００８４
【補正方法】変更
【補正の内容】
【００８４】
これに対し、撮影中状態８０４において液晶パネル２０８が開かれているときには、赤外リモコン５２０のカメラモード時再生キー１１５ｅまたはインデックスキー１１５ｄに対応するキーの操作の受付を許可し、記録と並行した再生を行うことができる。この状態においては、上述に実施の第１形態と同じように、記録中は撮影画像を液晶パネル２０８に表示し、記録と並行して再生を行うときには、撮影画像をＥＶＦ２０４に、再生画像を液晶パネル２０８に表示する。
【手続補正４９】
【補正対象書類名】明細書
【補正対象項目名】００８６
【補正方法】変更
【補正の内容】
【００８６】
カメラモードが設定されると、図９に示すように、まずステップＳ２０１においてトリガースイッチ２０５の押下を監視し、トリガースイッチ２０５が押下されると、記録開始が指示されたと判断してステップＳ２０２に進み、記録を開始する。そして、ステップＳ２０３において、パネル開閉検出スイッチ２１１からの検出信号に基づき液晶パネル２０８が開かれているか否かを判定する。ここで、液晶パネル２０８が開かれていないときには、ステップＳ２０４に進み、赤外リモコン５２０のスイッチ５２０ｄ，５２０ｅの操作の受付を禁止する。ここで、スイッチ５２０ｄは、図示されていないが、説明上、赤外リモコン５２０上のインデックスキー１１５ｄに対応するキーとする。また同様に、スイッチ５２０ｅは、図示されていないが、説明上、赤外リモコン５２０上のカメラモード時再生キー１１５ｅとする。この赤外リモコン５２０のスイッチ５２０ｄ，５２０ｅの操作の受付禁止により、液晶パネル２０８が閉じられているときにおける記録と並行した再生が禁止される。
【手続補正５０】
【補正対象書類名】明細書
【補正対象項目名】００９１
【補正方法】変更
【補正の内容】
【００９１】
ユーザが再生を行う際には、まずモードダイアル２０６により再生モードが選択されるとともに、液晶パネル２０８が開かれる。マイクロコンピュータ１０７は、パネル開閉検出スイッチ２１１からの検出信号に基づき液晶パネル２０８が開かれたことを認識し、ＥＶＦ２０４の電源をオフにするとともに液晶パネル２０８の電源をオンにする。また、画像入力選択スイッチ１１１は、マイクロコンピュータ１０７の制御により、再生画像を液晶パネル２０８に表示するための１つのチャネルを選択する。
【手続補正５１】
【補正対象書類名】明細書
【補正対象項目名】００９３
【補正方法】変更
【補正の内容】
【００９３】
次いで、ステップＳ３０５に進み、トリガースイッチ２０５が押下されたか否かを判定する。ここで、トリガースイッチ２０５が押下されると、記録開始が指示されたと判断してステップＳ３０６に進み、画像入力選択スイッチ１１１により、再生画像を液晶パネル２０８に表示する状態を保持しながらカメラ信号処理部１０３からのデジタル画像データ（撮影画像）をＥＶＦ２０４に表示するように表示切換を行い、続くステップＳ３０７で、ＥＶＦ２０４の電源をオンする。そして、ステップＳ３０８において、再生時の音声が記録されないように、スピーカユニット１１４のスピーカ２０９をオフする。なお、スピーカユニット１１４の外部出力端子２１３には、再生音が出力されている。
【手続補正５２】
【補正対象書類名】明細書
【補正対象項目名】００９６
【補正方法】変更
【補正の内容】
【００９６】
上記ステップＳ３１０において記録が終了していないと判定されると、ステップＳ３１５に進み、再生が終了したか否かを判定し、再生が終了していないときには、上記ステップＳ３１０に戻る。これに対し、ビデオクリップの再生が終了すると、ステップＳ３１６に進み、記録の終了を待ち、記録が終了すると、上記ステップＳ３１１に進み、カメラ信号処理部１０３からのデジタル画像データ（撮影画像）のＥＶＦ２０４へのチャネル切断、ＥＶＦ２０４の電源オフ、スピーカユニット１１４のスピーカ２０９のオンを行う。
【手続補正５３】
【補正対象書類名】明細書
【補正対象項目名】０１０３
【補正方法】変更
【補正の内容】
【０１０３】
【発明の効果】
以上説明したように、本発明によれば、記録媒体に記録されている画像信号の再生中に任意のタイミングで画像信号の記録を開始することができる。
【手続補正５４】
【補正対象書類名】明細書
【補正対象項目名】０１０４
【補正方法】削除
【補正の内容】
【手続補正５５】
【補正対象書類名】明細書
【補正対象項目名】０１０５
【補正方法】削除
【補正の内容】